(57)【要約】【課題】操作手順を簡素化し、使い易い飲料抽出機を提供する。【解決手段】飲料水を収容し底部に出湯口１５を有する容器２と、容器２の底部に配され飲料水を加熱する加熱装置３と、容器２の上部開放部を覆う蓋５と、固定用フランジ６を形成するノズル７を有し粉末飲料などを内部に密閉保存した飲料パック８を収納固定するパック収納部１０と、外部操作でパック収納部１０の前面開放部１０ａを開閉自在に覆うパックドアー１２と、容器２内の飲料水を飲料パック８内に吐出するインジェクタ１３を有すると共に飲料パック８を開封する開封装置１４と、出湯口１５とインジェクタ１３を連通する抽出経路１６を介して容器２内の飲料水を送出する抽出装置１７とを備え、パックドアー１２の閉操作に連動して開封装置１４により飲料パック８を開封するもので、パックドアー１２の一回の閉操作のみで、飲料パック８を開封することができる。【選択図】図１
2008142438.tif 000002
【特許請求の範囲】
【請求項１】
飲料水を収容し底部に出湯口を有する容器と、前記容器の底部に配され前記飲料水を加熱する加熱装置と、前記容器の上部開放部を覆う蓋と、固定用フランジを形成するノズルを有し粉末飲料などを内部に密閉保存した飲料パックを収納固定するパック収納部と、外部操作で前記パック収納部の前面開放部を開閉自在に覆うパックドアーと、前記容器内の飲料水を前記飲料パック内に吐出するインジェクタを有すると共に前記飲料パックを開封する開封装置と、前記出湯口と前記インジェクタを連通する抽出経路を介して前記容器内の飲料水を送出する抽出装置とを備え、前記パックドアーの閉操作に連動して前記開封装置により前記飲料パックを開封する飲料抽出機。
【請求項２】
抽出装置とインジェクタの間に配された経路切替装置と、コップ等に容器内の飲料水を吐出する第二のインジェクタと、前記経路切替装置と第二のインジェクタを連通する第二の抽出経路と、外部操作により、前記第二の抽出経路と前記経路切替装置から前記インジェクタへの抽出経路を切替える切替装置とを備えた請求項１に記載の飲料抽出機。
【請求項３】
開封装置はカム機構を有する請求項１または２に記載の飲料抽出機。
【請求項４】
飲料パックの種類に応じた抽出方法を選択するメニュー選択と、切替装置の外部操作部を１つの切替つまみに集約した請求項２または３に記載の飲料抽出機。
【発明の詳細な説明】
【技術分野】
【０００１】
本発明は、コーヒー・紅茶・ココアなどの飲料を一杯づつ密封した飲料パックによりいつでも新鮮でおいしい飲料が手軽に飲める飲料抽出機に関するものである。
【背景技術】
【０００２】
従来、この種の飲料抽出機は、開閉可能な飲料固定部を操作レバーの押し下げ操作により開き、飲料パックを開いた飲料固定部にセットし、飲料固定部を閉じ、操作レバーを押し下げることにより飲料パックを開封する構成となっている（例えば、特許文献１参照）。
【特許文献１】特開２００１−０７０１６５号公報
【発明の開示】
【発明が解決しようとする課題】
【０００３】
しかしながら、上記従来の飲料抽出機の構成では、飲料固定部を閉じる操作と、飲料パックの開封操作を操作レバーの押し下げ操作で行うため、２段階の操作が必要となり、操作手順が多く、使い勝手が悪いという課題を有していた。
【０００４】
本発明は、上記従来の課題を解決するもので、操作手順を簡素化し使い易い飲料抽出機を提供することを目的とする。
【課題を解決するための手段】
【０００５】
上記従来の課題を解決するために、本発明の飲料抽出機は、飲料水を収容し底部に出湯口を有する容器と、前記容器の底部に配され前記飲料水を加熱する加熱装置と、前記容器の上部開放部を覆う蓋と、固定用フランジを形成するノズルを有し粉末飲料などを内部に密閉保存した飲料パックを収納固定するパック収納部と、外部操作で前記パック収納部の前面開放部を開閉自在に覆うパックドアーと、前記容器内の飲料水を前記飲料パック内に吐出するインジェクタを有すると共に前記飲料パックを開封する開封装置と、前記出湯口と前記インジェクタを連通する抽出経路を介して前記容器内の飲料水を送出する抽出装置とを備え、前記パックドアーの閉操作に連動して前記開封装置により前記飲料パックを開封するもので、パックドアーの一回の閉操作のみで、飲料パックのノズルを開封することができるので操作手順を簡素化し使い易い飲料抽出機を提供することができる。
【発明の効果】
【０００６】
本発明の飲料抽出機は、パックドアーの閉操作のみにより飲料パックのノズルを開封することができるので操作手順を簡素化し使い易い飲料抽出機を提供することができる。
【発明を実施するための最良の形態】
【０００７】
第１の発明は、飲料水を収容し底部に出湯口を有する容器と、前記容器の底部に配され前記飲料水を加熱する加熱装置と、前記容器の上部開放部を覆う蓋と、固定用フランジを形成するノズルを有し粉末飲料などを内部に密閉保存した飲料パックを収納固定するパック収納部と、外部操作で前記パック収納部の前面開放部を開閉自在に覆うパックドアーと、前記容器内の飲料水を前記飲料パック内に吐出するインジェクタを有すると共に前記飲料パックを開封する開封装置と、前記出湯口と前記インジェクタを連通する抽出経路を介して前記容器内の飲料水を送出する抽出装置とを備え、前記パックドアーの閉操作に連動して前記開封装置により前記飲料パックを開封するもので、パックドアーの一回の閉操作のみで、飲料パックのノズルを開封することができるので操作手順を簡素化し使い易い飲料抽出機を提供することができる。
【０００８】
第２の発明は、特に、第１の発明の抽出装置とインジェクタの間に配された経路切替装置と、コップ等に容器内の飲料水を吐出する第二のインジェクタと、前記経路切替装置と第二のインジェクタを連通する第二の抽出経路と、外部操作により、前記第二の抽出経路と前記経路切替装置から前記インジェクタへの抽出経路を切替える切替装置とを備えたもので、電磁弁式の切替弁などを用いて切り替えるものに比べ、安価に構成することができるものである。
【０００９】
第３の発明は、特に、第１または第２の発明の開封装置はカム機構を有するもので、例えば、ばねなどでインジェクタを上方に付勢するようにした場合、パックドアーの閉操作時に、インジェクタが押し下げられても、カム機構によりその状態が保持されるので、追加の保持機構が不要となり、構造を簡素化することができるものである。
【００１０】
第４の発明は、特に、第２または第３の発明の飲料パックの種類に応じた抽出方法を選択するメニュー選択と、切替装置の外部操作部を１つの切替つまみに集約したもので、部品点数が削減できると共に、操作しやすくまた分かりやすいものである。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における飲料抽出機の全体構成図、図２（ａ）は、同飲料抽出機のパックドアーを開いた状態での第二のリンクとインジェクタの動作を示す図、図２（ｂ）は、同飲料抽出機のパックドアーを閉じた状態での第二のリンクとインジェクタの動作を示す図である。
【００１３】
図１、２（ａ）（ｂ）において、本実施の形態における飲料抽出機は、本体１と、本体１内に収納された容器２と、容器２の底面に配され、容器２内の飲料水を加熱保温する加熱装置３と、容器２の上部開放部を液密に覆い蒸気通路４を有する蓋５と、固定用フランジ６を形成したノズル７を有する飲料パック８と、前面部を開放し飲料パック８の固定用フランジ６を固定する固定部９を有するパック収納部１０と、パック収納部１０の前面開放部１０ａを開閉自在に覆うように、下方の水平方向に回転軸１１を有し本体１に回動自在に軸支され  外部操作で開閉するパックドアー１２と、容器２内の熱湯を飲料パック８内に吐出するインジェクタ１３を有すると共に飲料パック８を開封する開封装置１４と、容器２の底面に設けた出湯口１５と開封装置１４のインジェクタ１３を連通する抽出経路１６と、抽出経路１６の途中に配され容器２内の熱湯を飲料パック８に送る抽出装置１７と、抽出装置１７とインジェクタ１３の間の抽出経路１６の途中から分岐した空気経路１８と、空気経路１８の一端に設けた空気ポンプ１９と、パックドアー１２の開閉動作と、飲料パック８を開封する開封装置１４の動作とを連動させる開封連動装置２０と、本体１の上部の前面に配した表示操作部２１と、容器２の底の加熱装置３の中央部に配した温度センサー２２と、飲料パック有無検知装置（図示せず）と、ドアー閉検知装置（図示せず）と、表示操作部２１、飲料パック有無検知装置、ドアー閉検知装置、温度センサー２２等からの信号により加熱装置３、空気ポンプ１９、抽出装置１７の電気的制御を行う制御装置２３と、抽出飲料を受けるコップ２４を置くカップスタンド２５と、本体１に着脱自在で、こぼれた飲料を受けるトレイ２６とを備えている。
【００１４】
パックドアー１２の回転軸１１の周辺には、第一のリンク腕２７を一体形成している。
【００１５】
開封装置１４は、インジェクタ１３を一体成形した第一のリンク２８と、本体１に回動自在に軸支されカム３０と第二のリンク腕２９を一体形成したカム機構３１からなり、第一のリンク２８とカム３０との接触部の第一のリンク２８の上端にローラー３２を回動自在に装着し、第一のリンク２８は上方にばね（図示せず）により付勢された状態で上下方向にスライド自在に本体１に支持され、第一のリンク腕２７の先端の回転軸２７ａとカム機構３１の第二のリンク腕２９の先端の回転軸２９ａとを開封連動装置２０の第二のリンク３３で連結した構成としている。
【００１６】
以上のように構成された本実施の形態における飲料抽出機の動作、作用を説明する。
【００１７】
容器２内に飲料水をいれ加熱装置３により湯沸しし、温度センサー２２により温度を検知しながら制御装置２３により、飲料水を所定の温度で保温する。
【００１８】
パックドアー１２を外部操作により手前に開き、飲料パック８をパック収納部１０の所定位置にセット固定する。
【００１９】
そしてパックドアー１２を閉じると、その動作に連動して、パックドアー１２に形成された第一のリンク腕２７から開封連動装置２０の第二のリンク３３を介し、カム機構３１の第二のリンク腕２９からカム３０を介し第一のリンク２８のローラー３２から第一のリンク２８に伝導され、インジェクタ１３が下方に移動し、その先端部が飲料パック８のノズル７を突き刺し開封する。なお、このパックドアー１２を閉じるときは、片手のしかも指一本で簡単に閉じることができる。
【００２０】
その後、抽出装置１７が駆動し、あらかじめ決められたプログラムにより熱湯を飲料パック８に送り飲料パック８の４辺の内、下方を熱湯で開封し、さらに内部のコーヒーや紅茶などの飲料を抽出し、次に空気ポンプ１９を駆動し飲料パック８内の残り飲料を空気でコップ２４に排出し飲料パック８を火傷の心配なく、取り出せるようになっている。
【００２１】
以上のように本実施の形態によれば、パックドアー１２の閉操作のみに連動して飲料パック８を開封することができるので、操作手順を簡素化し使い易い飲料抽出機を提供することができるものである。
【００２２】
また、開封装置１４を、カム機構３１を採用せずにリンク機構のみで構成すると、パックドアー１２の閉操作で第二のリンク３３により、ばねで上方に付勢された第一のリンク２８を一旦押下げても、このばねの付勢力によりパックドアー１２が開いてしまうため、押下げ状態を保持する追加の保持機構が必要となるが、本実施の形態では、カム機構３１を採用しているので、パックドアー１２を閉じると、第一のリンク２８がばねで上方に付勢されているにもかかわらず、第一のリンク２８が下方に押し下げられた状態、すなわちパックドアー１２が閉じられた状態で維持されるので、開封装置１４の構造を簡素化し、安価に構成することができるものである。
【００２３】
（実施の形態２）
図３は、本発明の第２の実施の形態における飲料抽出機の全体構成図、図４（ａ）は、同飲料抽出機の経路切替装置の抽出経路の作用時でクリーム飲料抽出後の部分図、（ｂ）は、同飲料抽出機の経路切替装置の抽出経路の作用時の泡立てクリームとコーヒーの組合せ図、図５は、同飲料抽出機の経路切替装置の第二の抽出経路の作用時でクリーム飲料の泡立て後の部分図である。なお、上記第１の実施の形態における飲料抽出機と同一部品については同一符号を付してその説明を省略する。
【００２４】
本発明の第１の実施の形態と異なる点について以下に述べる。
【００２５】
図３〜５において、本実施の形態における飲料抽出機は、開封装置１４のインジェクタ１３と、容器２の出湯口１５を連通する抽出経路１６と、抽出経路１６の空気経路１８との合流点３４とインジェクタ１３との間に配した２経路の切替を行う経路切替装置３５と、コップ２４などに直接飲料水を吐出する第二のインジェクタ３６と経路切替装置３５とを連通する第二の抽出経路３７と、外部操作により経路切替装置３５の経路を切替える切替装置３８とを備え、経路切替装置３５は、通常インジェクタ１３側の抽出経路１６に連通しており、弁軸３９を押下げることにより第二の抽出経路３７との連通に切り替わるようにしたものである。
【００２６】
弁軸３９の押下げ動作は、外部から操作のできる切替装置３８により行う。切替装置３８は、外部操作する切替つまみ４０とそれに連結された切替カム４１からなり、回動自在に本体１に支持されている。
【００２７】
以上のように構成された本実施の形態における飲料抽出機について、以下にその動作、作用を説明する。
【００２８】
上記第１の実施の形態と異なる点について以下に述べる。
【００２９】
飲料パック８の種類は、多数あるが、たとえば通常のコーヒーや紅茶などの場合は、経路切替装置３５を通常のまま、つまり抽出経路１６側に連通した状態で飲料パック８を抽出する。
【００３０】
一方、粉末クリームを泡立てて、それをコーヒーなどの上にのせて飲む場合は、２種類の飲料パックつまり、クリーム用パックとコーヒーパックを使用し飲料を抽出する。
【００３１】
まず、図４（ａ）のようにまずクリーム用パックでインジェクタ１３にお湯を送り飲料パック８を開封しさらにお湯とクリーム粉末とを混合してクリーム液を作る。
【００３２】
次に図５のように、切替つまみ４０を操作して、切替カム４１により弁軸３９を押下げて、経路を、先端の開口面積がインジェクタ１３より小さい第二のインジェクタ３６側に切替えて、熱湯を勢いよくコップ２４内のクリーム粉末をお湯で溶かしたクリーム液に吐出し泡立てを行う。
【００３３】
次に図４（ｂ）のように、切替つまみ４０を操作して、インジェクタ１３側に切替え、パックドアー１２を開き、次のコーヒーパックをセットし、インジェクタ１３での抽出を行うことで、図４（ｂ）のような泡立てクリームをのせたコーヒーを作ることができる構成としたものである。
【００３４】
以上のように本実施の形態によれば、経路切替装置３５の外部操作により、経路を切替える構成としたので、電磁弁式の切替弁などの電気的駆動方式で構成するものに比べ、切替弁や制御回路のコストアップを抑え、安価に構成することができるものである。また、ご使用者に機械を操作する楽しみを与えるものである。
【００３５】
（実施の形態３）
図６（ａ）は、本発明の実施の形態３における飲料抽出機の表示操作部の斜視図、（ｂ）同飲料抽出機の切替装置の斜視図、（ｃ）同飲料抽出機の表示操作部の平面図である。なお上記実施の形態における飲料抽出機と同一部品については同一符号を付してその説明を省略する。なお、上記実施の形態２と異なる内容について以下に述べる。
【００３６】
本実施の形態は、図６に示すように、切替装置３８で、「クリーミーパック」と、「泡立て」と、「コーヒー／紅茶」の３つの切替ができるようにしたもので、表示操作部４２には、「クリーミーパック」、「泡立て」、「コーヒー／紅茶」がそれぞれ表示されている。他の構成は、上記第２の実施の形態における飲料抽出機と同一なので、その部分についての説明は省略する。
【００３７】
切替装置３８には、切替つまみ４０に連動した切替カム４１が形成され、弁軸３９に作用する第一の突起４３と、操作表示部４２に表示された「クリーミーパック」、「泡立て」、「コーヒー／紅茶」のそれぞれに対応して配された３つのスイッチ４４、４５、４６に作用する第二の突起４７から構成されている。
【００３８】
上記のように構成された本実施の形態における飲料抽出機の動作、作用は以下の通りである。
【００３９】
粉末クリームを泡立ててコーヒーなどの上にのせて飲む場合、切替つまみ４０を「クリーミーパック」に合わせ、切替カム４１の第二の突起４７が「クリーミーパック」に対応したスイッチ４４に作用し、熱湯により粉末クリームを抽出する。
【００４０】
次に、切替つまみ４０を「泡立て」位置まで回し、「泡立て」に対応したスイッチ４５に第二の突起４７が作用すると共に、経路切替装置３５の弁軸３９に第一の突起４３が作用し、第二の抽出経路３７に切替て、粉末クリームの抽出液を熱湯により泡立てる。
【００４１】
さらに、コーヒーパックに入れ替え、切替つまみ４０を、「コーヒー／紅茶」位置まで回すと、「コーヒー／紅茶」に対応したスイッチ４６に第二の突起４７が作用しコーヒーを抽出することができる。
【００４２】
以上のように本実施の形態における飲料抽出機によれば、上記第２の実施の形態による効果に加え、メニュー選択と経路切替装置３５の切替を、一つの切替つまみ４０に集約した構成としたため、メニュー選択と経路切替装置３５の切替操作を１つの切替つまみ４０で行うことができ、操作しやすく分かりやすい飲料抽出機を提供できるものである。また、ご使用者に機械を操作する楽しみを与える効果も得られる。
【産業上の利用可能性】
【００４３】
以上のように、本発明に係る飲料抽出機は、パックドアーの一回の閉操作のみで、飲料パックのノズルを開封することができ、操作手順が簡素化され使い易いもので、家庭用、業務用飲料抽出機に広く適用できる。
【図面の簡単な説明】
【００４４】
【図１】本発明の実施の形態１における飲料抽出機の全体構成図
【図２】（ａ）同飲料抽出機のパックドアーを開いた状態での第二のリンクとインジェクタの動作を示す図（ｂ）同飲料抽出機のパックドアーを閉じた状態での第二のリンクとインジェクタの動作を示す図（飲料パック開封状態）
【図３】本発明の第２の実施の形態における飲料抽出機の全体構成図
【図４】（ａ）同飲料抽出機の経路切替装置の抽出経路の作用時でクリーム飲料抽出後の部分図（ｂ）同飲料抽出機の経路切替装置の抽出経路の作用時の泡立てクリームとコーヒーの組合せ図
【図５】同飲料抽出機の経路切替装置の第二の抽出経路の作用時でクリーム飲料の泡立て後の部分図
【図６】（ａ）本発明の実施の形態３における飲料抽出機の表示操作部の斜視図（ｂ）同飲料抽出機の切替装置の斜視図（ｃ）同飲料抽出機の表示操作部の平面図
【符号の説明】
【００４５】
１  本体
２  容器
３  加熱装置
５  蓋
６  フランジ
７  ノズル
８  飲料パック
１０  パック収納部
１０ａ  前面開放部
１２  パックドアー
１３  インジェクタ
１４  開封装置
１５  出湯口
１６  抽出経路
１７  抽出装置
２０  開封連動装置
３１  カム機構
３５  経路切替装置
３６  第二のインジェクタ
３７  第二の抽出経路
３８  切替装置
４０  切替つまみ
【図１】
2008142438.tif 000003
【図２】
2008142438.tif 000004
【図３】
2008142438.tif 000005
【図４】
2008142438.tif 000006
【図５】
2008142438.tif 000007
【図６】
2008142438.tif 000008